(57)【要約】      （修正有）【課題】特に買い物時に座ったり荷物を運搬したりすることができる椅子付きショッピングキャリーを提供する。【解決手段】椅子付きショッピングキャリーは、全体を支えるための座部４０と、使用者側の第一側及び荷物側の第二側を有し、座部４０に間隔をおいて相対するように第二側に配置される、２本の支持棒１０と、２本の支持棒１０に回転可能に取り付けられ、その２本の支持棒１０に対して第一角度まで回転させると着座可能となり、一方、２本の支持棒１０に対して第二角度まで回転させると運搬可能となる、椅子部材２０と、を有する。【選択図】図１
0003206976.tif 000002
【実用新案登録請求の範囲】
【請求項１】
荷物を運搬するための椅子付きショッピングキャリーであって、
前記椅子付きショッピングキャリーを支えるための座部と、
使用者側の第一側及び荷物側の第二側を有し、前記座部に間隔をおいて相対するように第二側に配置される、２本の支持棒と、
前記２本の支持棒に回転可能に取り付けられ、その２本の支持棒に対して第一角度まで回転させると着座可能となり、一方、２本の前記支持棒に対して第二角度まで回転させると運搬可能となる、椅子部材と、を有することを特徴とする、
椅子付きショッピングキャリー。
【請求項２】
それぞれが対応する支持棒に設置され、ジョイントと、歯車と、バネと、組立ボルトと、押圧蓋を備える、２つの回転部材を有し、前記椅子部材が前記２つの回転部材の間に取り付けられ、前記椅子部材の支持棒側に取付側部を備え、該取付側部の両端にそれぞれ前記２つの回転部材と結合する組立部が設けられ、前記ジョイントは、支持棒に取り付けられ、支持棒と反対する側に受け座及び組合部が設けられ、前記取付側部の両端が該２つの受け座に掛け渡されるように設置され、前記２つの組立部がそれぞれ２つの組合部と一直線となるように組み合わされ、前記組立部に第一収容凹部が凹設され、該第一収容凹部の内周壁に前記歯車を収容するための第一内歯車が設けられ、前記組合部における椅子部材側に第二収容凹部が凹設され、該第二収容凹部の内周壁に歯車を収容するための第二内歯車が設けられ、前記第一収容凹部の底面に固定軸が設けられ、前記第一内歯車の端面に孤形段が凹設され、該孤形段の一端に、前記第一角度と対応する第一端、他端に前記第二角度と対応する第二端を備え、また、前記第二内歯車の端面に制限突起が凸設され、前記バネが固定軸に環装され、前記歯車がバネに環装され、前記第二収容凹部が第一収容凹部と対応するように組み合わされ、前記組立ボルトが第二収容凹部から貫入して固定軸に固定され、前記押圧蓋は、蓋本体及び、相対するように該蓋本体の内面から伸びる２つの押圧アームを含み、前記組合部に貫通溝が形成され、該２つの押圧アームが貫通溝から第二収容凹部に挿入されることにより蓋本体が位置決められ、前記歯車における、椅子部材と反対する端面に環状凹部が形成され、これにより、第二角度にした時、前記第一内歯車の歯部がそれぞれ第二内歯車の歯部と対応して、前記歯車が第二収容凹部に収容されると共に、前記制限突起が第一端に位置して、前記押圧アームにおける、蓋本体と反対する端が環状凹部の底面に挿入され、該蓋本体が押圧されると、該２つの押圧アームが環状凹部の底面に押圧されて歯車が第一収容凹部に押し込まれ、続いて前記椅子部材が回転して制限突起が第二端に移動し、前記第一内歯車の歯部がそれぞれ第二内歯車の歯部と対応し、前記蓋本体が解放されて歯車が第一収容凹部から第二収容凹部へ復位することを特徴とする請求項１に記載の椅子付きショッピングキャリー。
【請求項３】
前記各回転部材はそれぞれプラグを備え、該プラグが、対応する支持棒に嵌め込まれることを特徴とする請求項２に記載の椅子付きショッピングキャリー。
【請求項４】
前記座部は、相対する第一表面及び第二表面を備え、該第一表面は、床に立てかけるために床側に設けられ、前記２本の支持棒の近傍に少なくとも１つの支持脚部が設けられ、該支持脚部が床に立てかける複数の支点のうちの１つであり、該第二表面は、荷物側に設けられ、該第二表面と第二側との間に荷物空間が形成され、更に車輪を有し、該車輪は、支持脚部に取り付けられ、その数量は支持脚部の数量と同じかそれより少なく設定され、また、該支持脚部が地面や床に接地すると、該車輪が地面や床から離れて空中に位置し、該車輪が地面や床に接地すると、該支持脚部が地面や床から離れて空中に位置することを特徴とする請求項１に記載の椅子付きショッピングキャリー。
【請求項５】
前記支持脚部を２つ、前記車輪を２つ備え、前記座部は、相対する２本の支持バー及び、該２本の支持バーを連結する連接バーを備え、該支持バーは、湾曲状を呈し、一端が、対応する支持棒に連結され、他端が床と接地できることを特徴とする請求項４に記載の椅子付きショッピングキャリー。
【請求項６】
前記支持バーにおける、支持棒と反対する末端に滑り止めが取り付けられることを特徴とする請求項５に記載の椅子付きショッピングキャリー。
【請求項７】
組立部材を有し、該組立部材は、脚付けと、装着リングと、軸とを備え、そのうち、脚付けは、環装部及び該環装部の外壁に設けられる耳部を備え、該環装部は、支持脚部に環装され、末端を床に接地させることができ、一方、該耳部は、第一側に位置し、前記装着リングは、車輪に貫設され、前記軸は、一端が耳部に固定するように軸に貫設されることを特徴とする請求項４に記載の椅子付きショッピングキャリー。
【請求項８】
前記脚付けの環装部は、管状を呈し、その末端が封止状態であることを特徴とする請求項７に記載の椅子付きのショッピングキャリー。
【請求項９】
前記荷物空間に荷物を収納するためのバッグが取り付けられることを特徴とする請求項４に記載の椅子付きショッピングキャリー。
【請求項１０】
取っ手を有し、該取っ手の２つの自由端が椅子部材における、支持棒と反対する側の両端に取り付けられ、前記椅子部材における使用者の着座側の表面に滑り止めシートが取り付けられ、前記椅子部材は、上蓋及び下蓋を備え、該上蓋と該下蓋の間にスペースが形成されることを特徴とする請求項１に記載の椅子付きショッピングキャリー。
【考案の詳細な説明】
【技術分野】
【０００１】
本考案は、特に買い物時に座ったり荷物を運搬したりすることができる椅子付きショッピングキャリーに関するものである。
【背景技術】
【０００２】
従来のショッピングキャリーは、買い物する時に、荷物が重くても手軽に運搬することができるものである。
【考案の概要】
【考案が解決しようとする課題】
【０００３】
しかしながら、従来のショッピングキャリーは、荷物を運搬するシンプルな機能しか有しないので、運搬途中で休憩しようとしても座る場所がないので、不便であった。
【課題を解決するための手段】
【０００４】
本考案に係る椅子付きショッピングキャリーは、荷物を運搬するためのものであり、前記椅子付きショッピングキャリーを支えるための座部と、使用者側の第一側及び荷物側の第二側を有し、前記座部に間隔をおいて相対するように第二側に配置される、２本の支持棒と、前記２本の支持棒に回転可能に取り付けられ、その２本の支持棒に対して第一角度まで回転させると着座可能となり、一方、２本の前記支持棒に対して第二角度まで回転させると運搬可能となる、椅子部材と、を有する。
【０００５】
かかる椅子付きショッピングキャリーにおいて、それぞれが対応する支持棒に設置され、ジョイントと、歯車と、バネと、組立ボルトと、押圧蓋を備える、２つの回転部材を有し、前記椅子部材が前記２つの回転部材の間に取り付けられ、前記椅子部材の支持棒側に取付側部を備え、該取付側部の両端にそれぞれ前記２つの回転部材と結合する組立部が設けられ、前記ジョイントは、支持棒に取り付けられ、支持棒と反対する側に受け座及び組合部が設けられ、前記取付側部の両端が該２つの受け座に掛け渡されるように設置され、前記２つの組立部がそれぞれ２つの組合部と一直線となるように組み合わされ、前記組立部に第一収容凹部が凹設され、該第一収容凹部の内周壁に前記歯車を収容するための第一内歯車が設けられ、前記組合部における椅子部材側に第二収容凹部が凹設され、該第二収容凹部の内周壁に歯車を収容するための第二内歯車が設けられ、前記第一収容凹部の底面に固定軸が設けられ、前記第一内歯車の端面に孤形段が凹設され、該孤形段の一端に、前記第一角度と対応する第一端、他端に前記第二角度と対応する第二端を備え、また、前記第二内歯車の端面に制限突起が凸設され、前記バネが固定軸に環装され、前記歯車がバネに環装され、前記第二収容凹部が第一収容凹部と対応するように組み合わされ、前記組立ボルトが第二収容凹部から貫入して固定軸に固定され、前記押圧蓋は、蓋本体及び、相対するように該蓋本体の内面から伸びる２つの押圧アームを含み、前記組合部に貫通溝が形成され、該２つの押圧アームが貫通溝から第二収容凹部に挿入されることにより蓋本体が位置決められ、前記歯車における、椅子部材と反対する端面に環状凹部が形成され、これにより、第二角度にした時、前記第一内歯車の歯部がそれぞれ第二内歯車の歯部と対応して、前記歯車が第二収容凹部に収容されると共に、前記制限突起が第一端に位置して、前記押圧アームにおける、蓋本体と反対する端が環状凹部の底面に挿入され、該蓋本体が押圧されると、該２つの押圧アームが環状凹部の底面に押圧されて歯車が第一収容凹部に押し込まれ、続いて前記椅子部材が回転して制限突起が第二端に移動し、前記第一内歯車の歯部がそれぞれ第二内歯車の歯部と対応し、前記蓋本体が解放されて歯車が第一収容凹部から第二収容凹部へ復位することが好ましい。
【０００６】
かかる椅子付きショッピングキャリーにおいて、前記各回転部材はそれぞれプラグを備え、該プラグが、対応する支持棒に嵌め込まれることが好ましい。
【０００７】
かかる椅子付きショッピングキャリーにおいて、前記座部は、相対する第一表面及び第二表面を備え、該第一表面は、床に立てかけるために床側に設けられ、前記２本の支持棒の近傍に少なくとも１つの支持脚部が設けられ、該支持脚部が床に立てかける複数の支点のうちの１つであり、該第二表面は、荷物側に設けられ、該第二表面と第二側との間に荷物空間が形成され、更に車輪を有し、該車輪は、支持脚部に取り付けられ、その数量は支持脚部の数量と同じかそれより少なく設定され、また、該支持脚部が地面や床に接地すると、該車輪が地面や床から離れて空中に位置し、該車輪が地面や床に接地すると、該支持脚部が地面や床から離れて空中に位置することが好ましい。
【０００８】
かかる椅子付きショッピングキャリーにおいて、前記支持脚部を２つ、前記車輪を２つ備え、前記座部は、相対する２本の支持バー及び、該２本の支持バーを連結する連接バーを備え、該支持バーは、湾曲状を呈し、一端が、対応する支持棒に連結され、他端が床と接地できることが好ましい。
【０００９】
かかる椅子付きショッピングキャリーにおいて、前記支持バーにおける、支持棒と反対する末端に滑り止めが取り付けられることが好ましい。
【００１０】
かかる椅子付きショッピングキャリーにおいて、組立部材を有し、該組立部材は、脚付けと、装着リングと、軸とを備え、そのうち、脚付けは、環装部及び該環装部の外壁に設けられる耳部を備え、該環装部は、支持脚部に環装され、末端を床に接地させることができ、一方、該耳部は、第一側に位置し、前記装着リングは、車輪に貫設され、前記軸は、一端が耳部に固定するように軸に貫設されることが好ましい。
【００１１】
かかる椅子付きショッピングキャリーにおいて、前記脚付けの環装部は、管状を呈し、その末端が封止状態であることが好ましい。
【００１２】
かかる椅子付きショッピングキャリーにおいて、前記荷物空間に荷物を収納するためのバッグが取り付けられることが好ましい。
【００１３】
かかる椅子付きショッピングキャリーにおいて、取っ手を有し、該取っ手の２つの自由端が椅子部材における、支持棒と反対する側の両端に取り付けられ、前記椅子部材における使用者の着座側の表面に滑り止めシートが取り付けられ、前記椅子部材は、上蓋及び下蓋を備え、該上蓋と該下蓋の間にスペースが形成されることが好ましい。
【考案の効果】
【００１４】
本考案の椅子付きのショッピングキャリーは、上述の構造を有することから、以下の効果を奏する。
椅子部材が２本の支持棒に対して第一角度に回転すると着座可能になると共に、椅子部材が２本の支持棒に対して第二角度に回転すると運搬可能となることから、買い物時に荷物を手軽に運搬することができると共に、疲れた時にも座って休憩することもできるので、使用上非常に便利である。
【図面の簡単な説明】
【００１５】
【図１】本考案の斜視図である。
【図２】本考案の部分分解斜視図である。
【図３】本考案の他の部分分解斜視図である。
【図４】本考案の組立部及び回転部材の分解斜視図である。
【図５】本考案の組立部の側視平面図である。
【図６】本考案の組立部及び回転部材の他の分解斜視図である。
【図７】本考案の座部と車輪と組立部材の部分分解斜視図である。
【図８】本考案の運搬状態を示す部分斜視図である。
【図９】本考案の組立部及び回転部材の部分拡大断面図である。
【図１０】本考案の組立部及び回転部材の押圧蓋を押した状態を示す部分拡大断面図である。
【図１１】本考案の着座状態を示す部分斜視図である。
【考案を実施するための形態】
【００１６】
図１及び図２に示すように、本考案に係る椅子付きショッピングキャリーは、荷物を運搬するものであり、２本の支持棒１０と、椅子部材２０と、２つの回転部材３０と、座部４０と、車輪５０と、取っ手６０と、組立部材７０と、滑り止めシート８０と、バッグ９０を有する。
【００１７】
前記２本の支持棒１０は、それぞれ間隔をおいて縦方向に相対するように配置され、使用者側の第一側１１０及び、荷物側の第二側１２０を備える。尚、前記２本の支持棒１０を連結するために、２本の支持棒１０の間に２本の連結棒１３０が横方向に取り付けられることが好ましい。
【００１８】
前記椅子部材２０は、２本の支持棒１０の間に回転可能に取り付けられ、２本の支持棒１０に対して第一角度に回転すると着座可能になり、また、２本の支持棒１０に対して第二角度に回転すると運搬可能状態となる。尚、前記第一角度は、椅子部材２０と支持棒１０との間で１０８度まで回転でき、前記第二角度は、椅子部材２０と支持棒１０との間で１８０度まで回転できる。
【００１９】
図３に示すように、前記椅子部材２０は、互いに組み合わされる上蓋２１及び下蓋２２を備え、該上蓋２１と下蓋２２との間にスペースが形成され、前記椅子部材２０が支持棒１０に対して１０８度の第一角度に達すると、前記上蓋２１が支持棒１０の第二側１２０に面するようになり、前記下蓋２２が支持棒１０の第一側１１０に面するようになる。
尚、前記上蓋２１及び下蓋２２は、同一の形状を有し、互いに組み合わされてもよいが、該上蓋２１にさらに複数の凹部が、該下蓋２２にさらに複数の凸部が設けられ、該上蓋の複数の凹部がそれぞれ下蓋の複数の凸部に対応するように係合されると共に、ボルトによって上蓋２１及び下蓋２２を固定してもよい。（図示せず）。
【００２０】
図３乃至図６に示すように、前記椅子部材２０は、２つの回転部材３０の間に取り付けられ、２本の支持棒１０側に取付側部２３及び、該取付側部２３の両端で回転部材３０と結合する組立部２４を備え、該組立部２４に第一収容凹部２４０が凹設され、該第一収容凹部２４０の内周壁に第一内歯車２４１が設けられると共に、該第一収容凹部２４０の底面に固定軸２４２が設けられ、該第一内歯車２４１の端面に孤形段２４３が凹設され、該孤形段２４３の一端に前記第一角度に対応する第一端２４４、他端に前記第二角度に対応する第二端２４５を備える。
【００２１】
前記２つの回転部材３０はそれぞれ、支持棒１０と対応するように設置され、ジョイント３１と、歯車３２と、バネ３３と、組立ボルト３４と、押圧蓋３５を備える。
そのうち、ジョイント３１は、椅子部材２０の組立部２４に組み合わされるように支持棒１０に取り付けられ、該ジョイント３１における、支持棒１０と反対する側に受け座３１０及び組合部３１１が設けられ、前記取付側部２３の両端が２つの受け座３１０に掛け渡されるように設置され、前記２つの組立部２４がそれぞれ２つの前記組合部３１１と一直線となるように組み合わされる。また、該組合部３１１における椅子部材２０側に第二収容凹部３１２が凹設され、該第二収容凹部３１２の内周壁に第二内歯車３１３が設けられ、該第二内歯車３１３の端面に制限突起３１４が凸設される。
【００２２】
前記椅子部材２０を第一角度とした時、前記制限突起３１４が第一端２４４と対応するように位置すると共に、前記第一内歯車２４１の歯部が第二内歯車３１３の歯部に対応し、一方、前記椅子部材２０を第二角度とした時には、記制限突起３１４が第二端２４５と対応するように位置すると共に、前記第一内歯車２４１の歯部が第二内歯車３１３の歯部に対応し、前記組合部３１１に貫通溝３１５が形成される。尚、前記ジョイント３１は、固定ボルト３６による支持棒１０に固定され、該固定ボルト３６は、フラットヘッドボルトであることが好ましい。
【００２３】
さらに、前記固定軸２４２にバネ３３が環装され、前記歯車３２は、バネ３３に環装されると共に、第一内歯車２４１及び第二内歯車３１３に噛合され、前記歯車３２における、椅子部材２０と反対する端面に環状凹部３２０が形成される。
前記回転部材３０と椅子部材２０とは、第二収容凹部３１２が第一収容凹部２４０と対応するように組み合わされると共に、前記組立ボルト３４が第二収容凹部３１２に貫設して固定軸２４２に固定される。尚、前記組立ボルト３４は、ワッシャーヘッドねじである。
【００２４】
前記押圧蓋３５は、蓋本体３５０及び、該蓋本体３５０の内面から相対するように伸びる２つの押圧アーム３５１を含み、該２つの押圧アーム３５１が貫通溝３１５から第二収容凹部３１２に挿入されることにより、該蓋本体３５０が貫通溝３１５で位置決められ、該押圧アーム３５１における、蓋本体３５０と反対する端が環状凹部３２０の底面に挿入される。故に、前記蓋本体３５０を押圧すれば、前記２つの押圧アーム３５１が環状凹部３２０の底面に押圧されて歯車３２を第一収容凹部２４０に押し込み、それにより、制限突起３１４が前記椅子部材２０を第二端２４５に至るまで回転させ、前記第一内歯車２４１の歯部がそれぞれ第二内歯車３１３の歯部と対応すると、前記蓋本体３５０を解放して歯車３２が第一収容凹部２４０から第二収容凹部３１２に復位することができる。
尚、前記回転部材３０はそれぞれプラグ３７を備え、該プラグ３７は、対応する支持棒１０に嵌め込まれることが好ましい。
【００２５】
図１及び図７に示すように、前記座部４０は、椅子付きショッピングキャリーを支持するものであり、支持棒１０における第二側１２０に位置しながら椅子部材２０と反対する下端に取り付けられ、地面や床に立てかけるための第一表面４１及び、該第一表面４１と反対する第二表面４２を備え、該第一表面４１における、２本の支持棒１０の近傍に少なくとも１つの支持脚部４３が設けられる。該支持脚部４３は、地面や床に立てかけるための複数の支点のうちの１つであり、荷物は第二表面４２に配置され、該第二表面４２と第二側１２０との間に荷物空間４０１が形成される。尚、支持脚部４３はパイプである。
【００２６】
本考案に係る椅子付きショッピングキャリーにより荷物を運搬していないときは、座部４０により地面や床に立てかけて、車輪５０を空中位置まで持ち上げる。この時、椅子付きショッピングキャリーは、地面や床に安定して立てかけられているので、使用者が腰掛けても倒れることはない。一方、使用者が支持棒１０を斜めに倒して取っ手６０を引いて荷物を運搬する時は、第一表面４１にある支持脚部４３を上方へ持ち上げれば、車輪５０が地面や床につくので、移動させることができる。
【００２７】
また、他の実施例において、さまざまな構造を用いることにより、前記座部４０の代わりとしてもよく、例えば、その第一表面４１に少なくとも３つの車輪５０を一直線とならないように設置し、それらの車輪５０を地面や床に立てかけることにより、椅子付きショッピングキャリーを支持する。尚、車輪５０に止め構造が設置されることが好ましく、椅子付きショッピングキャリーを動かさない時には、その止め構造によって停止させる。
【００２８】
図２及び図７に示すように、前記座部４０はさらに、相対する２本の支持バー４４及び、該２本の支持バー４４を連結する連接バー４５を備え、該支持バー４４は、湾曲状を呈し、それぞれの一端が、対応する支持棒１０に連結され、他端は地面や床に接地して全体を支持することができる。
上述の記載に基づけば、本考案の椅子付きショッピングキャリーは、地面や床に立てかけるための４つの支点を有することから、安定的に地面や床に立てかけることができる。
さらに、前記支持バー４４における、支持棒１０と反対する末端に滑り止め４６が取り付けられる。該滑り止め４６は、ボルト４７により支持バー４４に固定される。尚、該ボルト４７は、フラットヘッドボルトであり、前記支持脚部４３は、パイプであることが好ましく、本実施例においては、２つの支持脚部４３を備え、２つの車輪５０を備えることが好ましい。
【００２９】
一方、他の実施例においては、２本の支持バー４４を直接地面や床に立てかけなくてもよく、座部４０の第一表面４１における、支持棒１０と反対する端に１つまたは２つの支持脚部４３を取り付ければ、全部で３つまたは４つの支持脚部４３を有すると共に、１つまたは３つ以上の車輪５０を設置してもよい。
前記車輪５０の数量は、支持脚部４３の数量と同じかそれ以下に設定され、また、前記車輪５０が、対応する支持脚部４３に取り付けられ、前記車輪５０が地面や床に接地すると、該支持脚部４３が地面や床から離れて空中に位置する。
【００３０】
図３に示すように、前記取っ手６０は、２つの自由端を有し、自由端はそれぞれ、椅子部材２０における、支持棒１０と反対する側の両端に取り付けられる。また、本実施例における取っ手６０は、本体６１及び発泡クッション６２を備え、該発泡クッション６２は、該本体６１の自由端を露出させるように、該本体６１に環装され、該２つの自由端は椅子部材２０に挿し込まれ、ボルト６３により椅子部材２０に固定される。尚、前記ボルト６３は、フラットヘッドボルトであることが好ましい。
【００３１】
図７に示すように、前記車輪５０は、組立部材７０を介して支持脚部４３に取り付けられ、該組立部材７０は、脚付け７１と、装着リングと、軸７３を備え、そのうち、脚付け７１は、環装部７１０及び該環装部７１０の外壁に設けられた耳部７１１を備え、該環装部７１０は、管状を呈し、ボルト７１２により支持脚部４３に環装され、その末端が封止状態で地面や床に接地する。
一方、耳部７１１は、第一側１１０側に突出するように設けられ、該装着リングは、車輪５０の中心に嵌め込まれ、該軸７３は、装着リングに貫設され、一側にあるネジ山によって耳部７１１に螺合される。尚、前記ボルト７１２は、フラットヘッドボルトであることが好ましい。
【００３２】
図１乃至図３に示すように、前記椅子部材２０における、使用者の着座側の表面に滑り止めシート８０が取り付けられ、該椅子部材２０は、上表面及び底表面を備え、椅子部材２０を２本の支持棒１０に対して１８０度に位置させる場合、上表面が支持棒１０の第二側１２０に面するように配置される。すなわち、該滑り止めシート８０が椅子部材２０の上表面に取り付けられる。また、他の実施例においては、必ずしも滑り止めシート８０を設置する必要はない。
【００３３】
図１及び図２に示すように、前記荷物空間４０１には、荷物を収納するためのバッグ９０が取り付けられるが、他の実施例においては、必ずしもバッグ９０を設置する必要はない。
【００３４】
図４乃至図６、図８、図９に示すように、本考案に係る椅子付きショッピングキャリーにおいて、椅子部材２０を第二角度に位置させた場合、歯車３２が第二収容凹部３１２及び第一収容凹部２４０に噛合されているため、椅子部材２０が支持棒１０に対して回転せず、椅子付きショッピングキャリーが運搬状態となるので、取っ手６０を引いて荷物を運搬することができる。
一方、図４乃至図６、図１０、図１１に示すように、その２つの蓋本体３５０を押圧して歯車３２を第二収容凹部３１２から離脱させて第一収容凹部２４０に収容するように押し込むと、椅子部材２０が支持棒１０に対して回転し、更に、組立部２４の第二端２４５が制限突起３１４に位置するまで椅子部材２０を回転させると、第一内歯車２４１の歯部が再度第二内歯車３１３の歯部と対応して環状凹部３２０を解放し、歯車３２が第一収容凹部２４０から第二収容凹部３１２へ復位し、椅子部材２０が支持棒１０に対して回転しない状態となり、使用者が椅子部材２０に座ることができるようになる。
【００３５】
上述の構成によれば、本考案に係る椅子付きショッピングキャリーにおいて、椅子部材２０を２本の支持棒１０に対して第一角度に回転させれば着座可能に調整でき、また、椅子部材２０を２本の支持棒１０に対して第二角度に回転させれば運搬可能に調整できることから、使用者にとって、買い物時に荷物を手軽に運搬することができると共に、疲れた時には座りながら休憩することができるので、使用上非常に便利である。
【符号の説明】
【００３６】
１０    支持棒
１１０  第一側
１２０  第二側
２０    椅子部材
２１    上蓋
２２    下蓋
２３    取付側部
２４    組立部
２４０  第一収容凹部
２４１  第一内歯車
２４２  固定軸
２４３  孤形段
２４４  第一端
２４５  第二端
３０    回転部材
３１    ジョイント
３１０  受け座
３１１  組合部
３１２  第二収容凹部
３１３  第二内歯車
３１４  制限突起
３１５  貫通溝
３２    歯車
３２０  環状凹部
３３    バネ
３４    組立ボルト
３５    押圧蓋
３５０  蓋本体
３５１  押圧アーム
３７    プラグ
４０    座部
４０１  荷物空間
４１    第一表面
４２    第二表面
４３    支持脚部
４４    支持バー
４５    連接バー
４６    滑り止め
５０    車輪
６０    取っ手
７０    組立部材
７１    脚付け
７１０  環装部
７１１  耳部
７２    装着リング
７３    軸
８０    滑り止めシート
９０    バッグ
【図１】
0003206976.tif 000003
【図２】
0003206976.tif 000004
【図３】
0003206976.tif 000005
【図４】
0003206976.tif 000006
【図５】
0003206976.tif 000007
【図６】
0003206976.tif 000008
【図７】
0003206976.tif 000009
【図８】
0003206976.tif 000010
【図９】
0003206976.tif 000011
【図１０】
0003206976.tif 000012
【図１１】
0003206976.tif 000013